(57)【要約】【課題】  指向性マイクロホンと無視向性マイクロホンを選択する操作を容易にすること。【解決手段】  ＩＣレコーダは、指向性を有する指向性マイクロホンと、指向性を有しない無指向性マイクロホンと、口述、会議、講義および音楽の４つシーンのいずれか１つを選択するシーン選択部５１と、４つのシーンそれぞれに指向性マイクロホンおよび無指向性マイクロホンのいずれか一方を割り当てた対応テーブル８１を予め記憶する第１ＥＥＰＲＯＭ３３と、シーン選択部５１により４つのシーンのうちから１つが選択されることに応じて、指向性マイクロホンおよび無指向性マイクロホンのうち対応テーブル８１により該選択されたシーンに割り当てられたものに切り換えるマイクロホン切換部５７と、を備える。【選択図】        図３
2010109614.tif 000002
【特許請求の範囲】
【請求項１】
指向性を有する第１のマイクロホンと、
指向性を有しない第２のマイクロホンと、
複数のシーンのいずれか１つを選択する選択手段と、
前記複数のシーンそれぞれに前記第１および第２のマイクロホンのいずれか一方を割り当てた対応テーブルを予め記憶する記憶手段と、
前記選択手段により前記複数のシーンのうちから１つが選択されることに応じて、前記第１および第２のマイクロホンのうち前記対応テーブルにより該選択されたシーンに割り当てられたものに切り換えるマイクロホン切換制御手段と、を備えた録音装置。
【請求項２】
前記対応テーブルは、前記複数のシーンそれぞれにマイク感度を関連付けており、
前記選択手段により前記複数のシーンのうちから１つが選択されることに応じて、前記対応テーブルにより該選択されたシーンに関連付けられたマイク感度に切り換える感度切換制御手段を、さらに備えた録音装置。
【請求項３】
前記対応テーブルは、前記複数のシーンそれぞれに入力レベルを適切なレベルに変更するオートレベルコントロールを有効にするか否かを関連付けており、
前記選択手段により前記複数のシーンのうちから１つが選択されることに応じて、前記対応テーブルにより該選択されたシーンに有効にすることが関連付けられていれば、オートレベルコントロールを有効に設定し、前記対応テーブルにより該選択されたシーンに有効にすることが関連付けられていなければ、オートレベルコントロールを無効に設定するオートレベルコントロール切換制御手段を、さらに備えた、請求項１または２に記載の録音装置。
【請求項４】
前記対応テーブルは、前記複数のシーンそれぞれに音声データを符号化するビットレートを関連付けており、
前記選択手段により前記複数のシーンのうちから１つが選択されることに応じて、前記対応テーブルにより該選択されたシーンに関連付けられたビットレートで音声データを符号化する録音モード切換制御手段を、さらに備えた、請求項１〜３のいずれかに記載の録音装置。
【請求項５】
ユーザの操作を受け付ける操作受付手段と、
前記受け付けられた操作に従って、前記対応テーブルを変更する変更手段と、をさらに備えた請求項１〜４のいずれかに記載の録音装置。
【請求項６】
ユーザによる操作を受け付けるためのハードキーをさらに備え、
前記選択手段は、前記複数のシーンを選択するための選択画面を表示する表示手段を含み、
前記表示手段は、前記ハードキーが指示されることに応じて、前記選択画面を表示する、請求項１〜５のいずれかに記載の録音装置。
【発明の詳細な説明】
【技術分野】
【０００１】
この発明は、録音装置に関し、特に指向性のマイクロホンと無指向性のマイクロホンとを備えた録音装置に関する。
【背景技術】
【０００２】
指向性のマイクロホンと無指向性のマイクロホンとを備え、指向性のマイクロホンからの音声信号を記録するモードと無指向性のマイクロホンからの音声信号を記録するモードとに切換可能な音声記録再生装置が、特開２００４−２５４０７４号公報（特許文献１）に記載されている。
【０００３】
しかしながら、モードの切換は、ユーザが音の発生する発声源を判断し、指向性のマイクロホンと無指向性のマイクロホンとのいずれが音声信号を記録するのに適しているかを判断しなければならない。また、通常は、モードを切換えるために、メニュー画面などからその下位の階層に配置されたモードを切り換えるための画面を表示させて、モードを切り換えなければならず、モードを切り換えるための操作が煩雑になるといった問題があった。
【特許文献１】特開２００４−２５４０７４号公報
【発明の開示】
【発明が解決しようとする課題】
【０００４】
この発明は上述した問題点を解決するためになされたもので、この発明の目的の１つは、指向性マイクロホンと無視向性マイクロホンを選択する操作を容易にした録音装置を提供することである。
【０００５】
この発明の他の目的は、録音のために設定する操作を容易にした録音装置を提供することである。
【課題を解決するための手段】
【０００６】
上述した目的を達成するためにこの発明のある局面によれば、録音装置は、指向性を有する第１のマイクロホンと、指向性を有しない第２のマイクロホンと、複数のシーンのいずれか１つを選択する選択手段と、複数のシーンそれぞれに第１および第２のマイクロホンのいずれか一方を割り当てた対応テーブルを予め記憶する記憶手段と、選択手段により複数のシーンのうちから１つが選択されることに応じて、第１および第２のマイクロホンのうち対応テーブルにより該選択されたシーンに割り当てられたものに切り換えるマイクロホン切換制御手段と、を備える。
【０００７】
この局面に従えば、複数のシーンのうちから１つが選択されることに応じて、第１および第２のマイクロホンのうち対応テーブルにより該選択されたシーンに割り当てられたものに切り換えられるので、ユーザは、複数のシーンのうちから１つを選択するだけで、適切なマイクロホンが選択される。このため、ユーザは、指向性マイクロホンと無視向性マイクロホンを選択する必要がない。その結果、指向性マイクロホンと無視向性マイクロホンを選択する操作を容易にした録音装置を提供することができる。
【０００８】
好ましくは、対応テーブルは、複数のシーンそれぞれにマイク感度を関連付けており、選択手段により複数のシーンのうちから１つが選択されることに応じて、対応テーブルにより該選択されたシーンに関連付けられたマイク感度に切り換える感度切換制御手段を、さらに備える。
【０００９】
この局面によれば、ユーザは、複数のシーンのうちから１つを選択するだけで、マイクロホンとマイク感度が適切に選択されるので、ユーザは、指向性マイクロホンと無視向性マイクロホンの選択およびマイク感度の設定をする必要がなく、録音のために設定する操作を容易にした録音装置を提供することができる。
【００１０】
好ましくは、対応テーブルは、複数のシーンそれぞれに入力レベルを適切なレベルに変更するオートレベルコントロールを有効にするか否かを関連付けており、選択手段により複数のシーンのうちから１つが選択されることに応じて、対応テーブルにより該選択されたシーンに有効にすることが関連付けられていれば、オートレベルコントロールを有効に設定し、対応テーブルにより該選択されたシーンに有効にすることが関連付けられていなければ、オートレベルコントロールを無効に設定するオートレベルコントロール切換制御手段を、さらに備えた、請求項１または２に記載の録音装置。
【００１１】
この局面によれば、ユーザは、複数のシーンのうちから１つを選択するだけで、オートレベルコントロールを適切に設定することができ、操作が容易となる。
【００１２】
好ましくは、対応テーブルは、複数のシーンそれぞれに音声データを符号化するビットレートを関連付けており、選択手段により複数のシーンのうちから１つが選択されることに応じて、対応テーブルにより該選択されたシーンに関連付けられたビットレートで音声データを符号化する録音モード切換制御手段を、さらに備える。
【００１３】
この局面によれば、ユーザは、複数のシーンのうちから１つを選択するだけで、符号化のためのビットレートを適切に設定することができ、操作が容易となる。
【００１４】
好ましくは、ユーザの操作を受け付ける操作受付手段と、受け付けられた操作に従って、対応テーブルを変更する変更手段と、をさらに備える。
【００１５】
この局面に従えば、対応テーブルを変更できるので、ユーザの好みに応じた設定を容易に選択することができる。
【００１６】
好ましくは、ユーザによる操作を受け付けるためのハードキーをさらに備え、選択手段は、複数のシーンを選択するための選択画面を表示する表示手段を含み、表示手段は、ハードキーが指示されることに応じて、選択画面を表示する。
【００１７】
この局面に従えば、ユーザは、ハードキーを指示するだけでシーンを選択することができるので、シーンを容易に選択することができる。
【発明を実施するための最良の形態】
【００１８】
以下、図面を参照しつつ、本発明の録音装置の１つの実施の形態におけるＩＣレコーダについて説明する。以下の説明では、同一部品には同一の符号を付してある。それらの名称および機能も同じである。しがたってそれらについての詳細な説明は繰り返さない。
【００１９】
図１は、ＩＣレコーダの平面図である。図１を参照して、ＩＣレコーダ１は、本体部３と、指向性マイクロホンと無指向性マイクロホンとが内臓される集音部５と、を含む。
【００２０】
集音部５は、本体部３に対してヒンジ機構を介して２軸に回転可能に接続されており、本体部３に対して相対的に集音部５の方向を変化させることが可能である。
【００２１】
本体部３は、液晶表示装置（ＬＣＤ）３５と、その下方に複数種類のキーを有する操作部７と、を備える。操作部７は、シーンを選択するためのハードキーとしてのシーンキー７Ａを含む。ハードキーは、接点スイッチである。なお、ＬＣＤ３５に代えて、有機ＥＬＤ（Ｅｌｅｃｔｒｏ  Ｌｕｍｉｎｅｓｃｅｎｃｅ  Ｄｉｓｐｌａｙ）等のディスプレイを用いるようにしてもよい。
【００２２】
図２は、ＩＣレコーダのハードウェア構成の概要を示す機能ブロック図である。図２を参照して、ＩＣレコーダ１は、ＩＣレコーダ１の全体を制御するための中央演算装置（ＣＰＵ）１１と、それぞれがＣＰＵ１１とバス３５で接続された、コーデック１３と、エンコーダ／デコーダ１５と、ＲＡＭ（Ｒａｎｄｏｍ  Ａｃｃｅｓｓ  Ｍｅｍｏｒｙ）２１と、スピーカ２３と、ヘッドホン端子２５と、外部メモリコントローラ２７と、第２ＥＥＰＲＯＭ（Ｅｌｅｃｔｒｉｃａｌｌｙ  Ｅｒａｓａｂｌe  ａｎｄ  Ｐｒｏｇｒａｍｍａｂｌｅ  Ｒｅａｄ  Ｏｎｌｙ  Ｍｅｍｏｒｙ）２９と、シリアルインターフェース（Ｉ／Ｆ）３１と、第１ＥＥＰＲＯＭ３３と、ＬＣＤ３５と、を含む。
【００２３】
ＣＰＵ１１は、操作部７に接続され、ユーザが操作部７に入力する操作を受付ける。また、操作部７は、シーンキー７Ａを含み、ユーザがシーンキー７Ａを押下すると、ＣＰＵ１１は、シーンキー７Ａが押下されたことを検出し、シーンセレクト指示を受付ける。
【００２４】
ＲＡＭ２１は、ＣＰＵ１１の作業領域として用いられる。第１ＥＥＰＲＯＭ３３は、ＣＰＵ１１が実行するプログラム等を記憶する。第２ＥＥＰＲＯＭ２９は、圧縮された音声信号等を不揮発的に記憶するための内部メモリである。外部メモリコントローラ２７は、メモリカード２７Ａが接続される。ＣＰＵ１１は、外部メモリコントローラ２７を介して、それに接続されたメモリカード２７Ａにアクセスが可能である。
【００２５】
シリアルインターフェース３１は、シリアル通信可能な装置と接続される。ＣＰＵ１１は、シリアルインターフェース３１を介して、それに接続された装置と通信が可能である。ヘッドホン端子２５は、ヘッドホンまたはイヤホン等が接続され、それらにアナログの音声信号を出力する。スピーカ２３は、アナログの音声信号が入力され、音声を出力する。
【００２６】
コーデック１３は、指向性マイクロホン１７と、無指向性マイクロホン１９と、が接続され、指向性マイクロホン１７と無指向性マイクロホン１９とのいずれかから入力されるアナログの音声信号をデジタル信号に変換し、所定の信号処理をした後に、デジタル処理後の音声信号をＣＰＵ１１に出力する。
【００２７】
コーデック１３は、デジタル信号を処理するために、オートレベルコントロール（ＡＣＬ）部１３Ａ、マイクロホンの感度を切り換える感度切換部１３Ｂ、ローカットフィルタ部１３Ｃ、マイクロホンを切り換えるためのマイク切換部１３Ｄ、および録音ピークリミッタ部１３Ｅを有する。
【００２８】
マイク切換部１３Ｄは、ＣＰＵ１１からの指示に基づいて、処理対象とする音声信号を、指向性マイクロホン１７および無指向性マイクロホン１９それぞれが出力するアナログの音声信号のいずれかに切り換える。
【００２９】
オートレベルコントロール部１３Ａは、ＣＰＵ１１からの指示に基づいて、処理対象とする音声信号の入力レベルを調整する。例えば、高い音域と低い音域の入力レベルを調整する。具体的には、オートレベルコントロール部１３Ａは、ＣＰＵ１１からオートレベルコントロールを有効にする指示が入力されると、処理対象とする音声信号の入力レベルを調整し、オートレベルコントロールを無効にする指示が入力されると、処理対象とする音声信号の入力レベルを調整しない。
【００３０】
感度切換部１３Ｂは、ＣＰＵ１１からの指示に基づいて、処理対象とする音声信号のマイクロホンの感度を高い感度と低い感度とのいずれかに切り換える。具体的には、感度切換部１３は、ＣＰＵ１１から高感度にする指示が入力されると、マイクロホンの感度を高くし、低感度にする指示が入力されると、マイクロホンの感度を低くする。
【００３１】
ローカットフィルタ部１３Ｃは、ＣＰＵ１１からの指示に基づいて、処理対象とする音声信号の低い帯域の音をカットするか否かを切り換える。具体的には、ローカットフィルタ部１３Ｃは、ＣＰＵ１１からローカットフィルタを有効にする指示が入力されると、処理対象とする音声信号の低い帯域の音をカットするが、ローカットフィルタを無効にする指示が入力されると、処理対象とする音声信号の低い帯域の音をカットしない。
【００３２】
録音ピークリミッタ部１３Ｅは、ＣＰＵ１１からの指示に基づいて、処理対象とする音声信号の音量レベルを所定の値以下にするか否かを切り換える。具体的には、録音ピークリミッタ部１３Ｅは、ＣＰＵ１１から録音ピークリミッタを有効にする指示が入力されると、処理対象とする音声信号の音量レベルを所定の値以下にするが、録音ピークリミッタを無効にする指示が入力されると、処理対象とする音声信号の音量レベルを所定の値以下にしない。
【００３３】
エンコーダ／デコーダ１５は、ＣＰＵ１１により制御され、コーデック１３から出力される音声信号を、符号化する。また、エンコーダ／デコーダ１５は、ＣＰＵ１１により制御され、符号化された音声信号を復号する。
【００３４】
指向性マイクロホン１７または無指向性マイクロホン１９から出力される音声信号は、コーデック１３によりデジタル信号に変換されるが、ＣＰＵ１１は、コーデック１３より出力される音声信号を、エンコーダ／デコーダ１５に符号化させ、符号化された音声信号を、第２ＥＥＰＲＯＭ２９、または外部メモリコントローラ２７に接続されたメモリカード２７Ａに記憶する。
【００３５】
また、ＣＰＵ１１は、第２ＥＥＰＲＯＭ２９、または外部メモリコントローラ２７に接続されたメモリカード２７Ａに記憶された音声信号を読み出して、エンコーダ／デコーダ１５に復号させ、復号された音声信号をコーデック１３にアナログ信号に変換させ、アナログの音声信号を、スピーカ２３またはヘッドホン端子２５に接続されたヘッドホンに出力する。
【００３６】
さらに、ＣＰＵ１１は、ＶＡＳ（Ｖｏｉｃｅ  Ａｃｔｉｖｅ  Ｓｙｓｔｅｍ）部１１Ａおよび録音モード切換部１１Ｂを有する。ＶＡＳ部１１Ａは、ＶＡＳが有効に設定されている場合、音声データのうちで無音の部分が録音されないようにカットするために、エンコーダ／デコーダ１５を制御して、無音部分の音声信号をカットさせるが、ＶＡＳが無効に設定されている場合、エンコーダ／デコーダ１５を制御して、無音部分の音声信号をカットさせない。録音モード切換部１１Ｂは、エンコーダ／デコーダ１５で音声データを符号化する際に、音声信号のビットレートを切り換えるために、エンコーダ／デコーダ１５を制御して、ビットレートを指定して符号化させる。
【００３７】
図３は、ＣＰＵの機能の概要を第１ＥＥＰＲＯＭに記憶されるデータとともに示す機能ブロック図である。図３を参照して、ＣＰＵ１１は、ユーザによる操作を受け付ける操作受付部５３と、複数のシーンのうちから１つを選択するためのシーン選択部５１と、指向性マイクロホン１７と無指向性マイクロホン１９とのいずれかに切換えるマイクロホン切換制御部５７と、マイク感度を切換える感度切換制御部５９と、ＡＬＣの有効または無効を切換えるＡＬＣ切換制御部６１と、録音モードを切換える録音モード切換制御部６３と、ローカットフィルターの有効または無効を切換えるローカットフィルタ切換制御部６５と、録音ピークリミッタの有効または無効を切換える録音ピーク切換制御部６７と、ＶＡＳの有効または無効を切換えるＶＡＳ切換制御部６９と、を含む。
【００３８】
操作受付部５３は、ユーザが操作部７に入力する操作を受け付ける。特に、ユーザがシーンキー７Ａを押下すると、シーンを選択することを指示するためのシーンセレクト指示を受け付ける。操作受け付けるは、シーンセレクト指示を受け付けると、シーンセレクト指示をシーン選択部５１に出力する。
【００３９】
シーン選択部５１は、表示制御部５２を含む。表示制御部５２は、ＬＣＤ３５を制御して、ＬＣＤ３５に画像を表示する。具体的には、表示制御部５２は、操作受付部５３からシーンセレクト指示が入力されると、ＬＣＤ３５に複数のシーンそれぞれに対応するシーン選択画面を表示する。ここでは、４つのシーンに対応するシーン選択画面が予め準備されている場合を例に説明する。４つのシーンは、それぞれを識別するためのシーン情報が付されており、シーン情報は「口述」、「会議」、「講義」および「音楽」とを含む。シーン情報「口述」で特定されるシーンは、インタビューや二人の会話を録音するシーンである。シーン情報「会議」で特定されるシーンは、複数人が会話し、全方向からの音声を録音するシーンである。シーン情報「講義」で特定されるシーンは、複数人の前で人が話す場合など前方からの音声を録音するシーンである。シーン情報「音楽」で特定されるシーンは、音楽演奏や動物の声などを高音質で録音するシーンである。
【００４０】
図４は、シーン選択画面の一例を示す図である。図４（Ａ）は、シーン情報「口述」に対応するシーン選択画面を示す図である。シーン選択画面１０１は、口述の文字と、２人で会話する様子を表した絵を含む。また、画面の右上に選択されているシーンを識別するための図柄（アイコン）が表示されるが、その図柄がシーン情報「口述」で特定されるシーンに対応する図柄１０３に切り換わる。図４（Ｂ）は、シーン情報「会議」に対応するシーン選択画面を示す図である。シーン選択画面１１１は、会議の文字と、複数人で会話する会議の様子を表した絵を含む。また、画面の右上に選択されているシーンを識別するための図柄（アイコン）が表示されるが、その図柄がシーン情報「会議」で特定されるシーンに対応する図柄１１３に切り換わる。図４（Ｃ）は、シーン情報「講義」に対応するシーン選択画面を示す図である。シーン選択画面１２１は、講義の文字と、複数の前で人が話す講義の様子を表した絵を含む。また、画面の右上に選択されているシーンを識別するための図柄（アイコン）が表示されるが、その図柄がシーン情報「講義」で特定されるシーンに対応する図柄１２３に切り換わる。図４（Ｄ）は、シーン情報「音楽」に対応するシーン選択画面を示す図である。シーン選択画面１３１は、音楽の文字と、音楽演奏の様子を表した絵を含む。また、画面の右上に選択されているシーンを識別するための図柄（アイコン）が表示されるが、その図柄がシーン情報「音楽」で特定されるシーンに対応する図柄１３３に切り換わる。
【００４１】
図３に戻って、シーン選択部５１は、ユーザが操作部７が備える切換キーを押下すると、ＬＣＤ３５に表示されるシーン選択画面が順に切り換わる。さらに、シーン選択部５１は、ユーザが操作部７が備える決定キーを押下すると、その時点でＬＣＤ３５に表示されているシーン選択画面に対応するシーンを選択する。シーン選択部５１は、複数のシーンのうちから選択されたシーンを識別するためのシーン情報を、マイクロホン切換制御部５７、感度切換制御部５９、ＡＬＣ切換制御部６１、録音モード切換制御部６３、ローカットフィルタ切換制御部６５、録音ピーク切換制御部６７、ＶＡＳ切換制御部６９にそれぞれ出力する。
【００４２】
また、表示制御部５２は、シーン選択部５１によりシーンが選択されると、図４（Ａ）〜図４（Ｄ）にそれぞれ示した図柄１０３，１１３，１２３，１３３のうち選択されたシーンに対応する図柄がシーン選択画面が別の画面に切り換わったとしても、継続して表示される。このため、図柄１０３，１１３，１２３，１３３のうち選択されたシーンに対応する図柄を表示することにより、そのときに選択されているシーンが、口述、会議、講義、および音楽のいずれのシーンであるかを、ユーザに通知することができる。
【００４３】
第１ＥＥＰＲＯＭ３３は、対応テーブル８１を記憶する。ここで対応テーブルについて説明する。図５は、対応テーブルの一例を示す図である。図５を参照して、対応テーブル８１は、４つのシーンそれぞれについて、ＡＬＣのＯＮ／ＯＦＦ、マイク感度の高／低、ローカットフィルタのＯＮ／ＯＦＦ、マイク種類、録音モード、ＶＡＳのＯＮ／ＯＦＦ、録音ピークリミッタのＯＮ／ＯＦＦを設定値として関連付ける。さらに、対応テーブル８１は、ユーザが任意に設定可能なシーンとしてシーン情報「お気に入り」に対して、ＡＬＣのＯＮ／ＯＦＦ、マイク感度の高／低、ローカットフィルタのＯＮ／ＯＦＦ、マイク種類、録音モード、ＶＡＳのＯＮ／ＯＦＦ、録音ピークリミッタのＯＮ／ＯＦＦを設定値として関連付けることが可能である。この場合、シーン情報「お気に入り」に対応するシーン選択画面を予め準備しておき、他のシーン選択画面と同様にＬＣＤ３５に表示させるようにして、他のシーンと同様に選択可能にすればよい。
【００４４】
図３に戻って、マイクロホン切換制御部５７は、シーン選択部５１からシーン情報が入力されると、第１ＥＥＰＲＯＭ３３に記憶されている対応テーブル８１を参照して、シーン情報と関連付けられたマイク種類の設定値を読み出す。そして、読み出された設定値に従って、コーデック１３に指向性マイクロホン１７および無指向性マイクロホン１９のいずれかを選択させる。具体的には、対応テーブル８１によってシーン情報と設定値「指向性」が関連付けられているならば、コーデック１３に指向性マイクロホン１７を選択させ、対応テーブル８１によってシーン情報と設定値「無指向性」が関連付けられているならば、コーデック１３に無指向性マイクロホン１９を選択させる。
【００４５】
感度切換制御部５９は、シーン選択部５１からシーン情報が入力されると、第１ＥＥＰＲＯＭ３３に記憶されている対応テーブル８１を参照して、シーン情報と関連付けられたマイク感度の設定値を読み出す。そして、読み出された設定値に従って、コーデック１３にマイク感度を切換えさせる。具体的には、対応テーブル８１によってシーン情報と設定値「高」が関連付けられているならば、コーデック１３にマイク感度を「高」に切り換えさせ、対応テーブル８１によってシーン情報と設定値「低」が関連付けられているならば、コーデック１３にマイク感度を「低」に切り換えさせる。
【００４６】
ＡＬＣ切換制御部６１は、シーン選択部５１からシーン情報が入力されると、第１ＥＥＰＲＯＭ３３に記憶されている対応テーブル８１を参照して、シーン情報と関連付けられたＡＬＣの設定値を読み出す。そして、読み出された設定値に従って、コーデック１３にＡＬＣを有効にするか無効にするかを切換えさせる。具体的には、対応テーブル８１によってシーン情報と設定値「ＯＮ」が関連付けられているならば、コーデック１３にＡＬＣを有効に切り換えさせ、対応テーブル８１によってシーン情報と設定値「ＯＦＦ」が関連付けられているならば、コーデック１３にＡＬＣを無効に切り換えさせる。
【００４７】
録音モード切換制御部６３は、シーン選択部５１からシーン情報が入力されると、第１ＥＥＰＲＯＭ３３に記憶されている対応テーブル８１を参照して、シーン情報と関連付けられた録音モードの設定値を読み出す。そして、読み出された設定値を録音モード切換部１１Ａに出力する。これにより、録音モード切換部１１Ｂは、エンコーダ／デコーダ１５で音声データを符号化する際に、音声信号のビットレートを切り換えるために、エンコーダ／デコーダ１５を制御して、ビットレートを指定して符号化させる。具体的には、対応テーブル８１によってシーン情報と設定値「ＭＰ３：６４ｋｂｐｓ」が関連付けられているならば、録音モード切換部１１Ｂが、エンコーダ／デコーダ１５にＭＰ３の圧縮方式で、ビットレート６４ｋｂｐｓで圧縮させ、対応テーブル８１によってシーン情報と設定値「ＭＰ３：１２８ｋｂｐｓ」が関連付けられているならば、エンコーダ／デコーダ１５にＭＰ３の圧縮方式で、ビットレート１２８ｋｂｐｓで圧縮させ、対応テーブル８１によってシーン情報と設定値「ＰＣＭ：４８ｋＨｚ」が関連付けられているならば、エンコーダ／デコーダ１５に非圧縮で、ビットレート１５３６ｋｂｐｓで符号化させる。なお、サンプリング周波数を関連付けるようにして、シーン情報と関連付けられたサンプリング周波数でエンコーダ／デコーダ１５にサンプリングさせるようにしてもよい。
【００４８】
ローカットフィルタ切換制御部６５は、シーン選択部５１からシーン情報が入力されると、第１ＥＥＰＲＯＭ３３に記憶されている対応テーブル８１を参照して、シーン情報と関連付けられたローカットフィルタの設定値を読み出す。そして、読み出された設定値に従って、コーデック１３にローカットフィルタを有効にするか無効にするかを切換えさせる。具体的には、対応テーブル８１によってシーン情報と設定値「ＯＮ」が関連付けられているならば、コーデック１３にローカットフィルタを有効に切り換えさせ、対応テーブル８１によってシーン情報と設定値「ＯＦＦ」が関連付けられているならば、コーデック１３にローカットフィルタを無効に切り換えさせる。
【００４９】
録音ピーク切換制御部６７は、シーン選択部５１からシーン情報が入力されると、第１ＥＥＰＲＯＭ３３に記憶されている対応テーブル８１を参照して、シーン情報と関連付けられた録音ピークリミッタの設定値を読み出す。そして、読み出された設定値に従って、コーデック１３に録音ピークリミッタを有効にするか無効にするかを切換えさせる。具体的には、対応テーブル８１によってシーン情報と設定値「ＯＮ」が関連付けられているならば、コーデック１３に録音ピークリミッタを有効に切り換えさせ、対応テーブル８１によってシーン情報と設定値「ＯＦＦ」が関連付けられているならば、コーデック１３に録音ピークリミッタを無効に切り換えさせる。
【００５０】
ＶＡＳ切換制御部６９は、シーン選択部５１からシーン情報が入力されると、第１ＥＥＰＲＯＭ３３に記憶されている対応テーブル８１を参照して、シーン情報と関連付けられたＶＡＳの設定値を読み出す。そして、読み出された設定値に従って、コーデック１３にＶＡＳを有効にするか無効にするかをＶＡＳ部１１Ａに切換えさせる。具体的には、対応テーブル８１によってシーン情報と設定値「ＯＮ」が関連付けられているならば、ＶＡＳを有効に設定する。これにより、ＶＡＳ部１１Ａが、音声データのうちで無音の部分が録音されないようにカットするために、エンコーダ／デコーダ１５を制御して、無音部分の音声信号をカットさせる。
【００５１】
変更部５５は、ユーザが操作部７に入力する操作に従って、対応テーブル８１の内容を変更する。変更部５５は、対応テーブル８１で５つのシーン毎に、そのシーンに関連付けられている設定値を、ＬＣＤ３５に表示し、ユーザが操作部７に設定値を入力すれば、対応テーブル８１の設定値を入力された設定値で変更する。対応テーブル８１を、ユーザが自由に変更することができるので、シーンごとにユーザの使用に適した設定値を設定することができる。
【００５２】
図６は、録音処理の流れの一例を示すフローチャートである。録音処理は、ＣＰＵ１１が録音プログラムを実行することにより、ＣＰＵ１１により実行される処理である。図６を参照して、ＣＰＵ１１は、録音を開始する指示を受け付けたか否かを判断する（ステップＳ０１）。録音を開始する指示を受け付けるまで待機状態となり（ステップＳ０１でＮＯ）、録音を開始する指示を受け付けたならば処理をステップＳ０２に進める。換言すれば、録音処理は、録音を開始する指示を受け付けることを条件に実行される処理である。例えば、操作部７が備える録音キーがユーザにより押下されると、録音を開始する指示を受け付ける。
【００５３】
ステップＳ０２においては、デフォルトモードを選択し、処理をステップＳ０３に進める。デフォルトモードは、予め定められた設定値が設定される。ここでは、第１ＥＥＰＲＯＭ３３に記憶された対応テーブル８１においてシーン情報「口述」に関連付けられた設定値がデフォルトモードにおける設定値として設定される。
【００５４】
ステップＳ０３においては、シーンキー７Ａが押下されたか否かを判断する。シーンキー７Ａが押下されたことが検出されると、処理をステップＳ０４に進めるが、そうでなければ処理をステップＳ１２に進める。
【００５５】
ステップＳ０４においては、シーン選択画面をＬＣＤ３５に表示する。図４に示した４つのシーン選択画面を順に表示する。そして、次のステップＳ０５においては、シーンが選択されたか否かを判断する。シーンが選択されたならば処理をステップＳ０６に進めるが、そうでなければ処理をステップＳ０４に戻す。操作部７が備える決定キーが押下された時点でＬＣＤ３５に表示されているシーン選択画面に対応するシーンを選択する。
【００５６】
ステップＳ０６においては、ステップＳ０５において選択されたシーンによって処理を分岐する。選択されたシーンのシーン情報が「口述」ならば処理をステップＳ０７に進め、「会議」ならば処理をステップＳ０８に進め、「講義」ならば処理をステップＳ０９に進め、「音楽」ならば処理をステップＳ１０に進め、「お気に入り」ならば処理をステップＳ１１に進める。
【００５７】
ステップＳ０７においては口述切換処理を実行し、処理をステップＳ１２に進める。ステップＳ０８においては会議切換処理を実行し、処理をステップＳ１２に進める。ステップＳ０９においては講義切換処理を実行し、処理をステップＳ１２に進める。ステップＳ１０においては音楽切換処理を実行し、処理をステップＳ１２に進める。ステップＳ１１においてはお気に入り切換処理を実行し、処理をステップＳ１２に進める。
【００５８】
ステップＳ１２においては録音を開始する。次のステップＳ１３において、録音を終了させる指示を受付けたか否かを判断し、録音を終了する指示を受付けたならば処理を終了するが、そうでなければ処理をステップＳ０３に戻す。例えば、操作部７が備える停止キーがユーザにより押下されると、録音を終了させる指示を受け付ける。
【００５９】
図７は、口述切換処理の流れの一例を示すフローチャートである。口述切換処理は、図６のステップＳ０７において実行される処理である。図７を参照して、ＣＰＵ１１は、第１ＥＥＰＲＯＭ３３に記憶されている対応テーブル８１を参照し、コーデック１３を制御して、無指向性マイクロホン１９が出力する音声信号を処理するように切り換えさせ（ステップＳ２１）、マイク感度を低に切り換えさせ（ステップＳ２２）、ＡＬＣを有効に切り換えさせ（ステップＳ２３）、ローカットフィルタを有効に設定させ（ステップＳ２４）、録音ピークリミッタを無効に切り換えさせる（ステップＳ２５）。さらに、エンコーダ／デコーダ１５を制御して、ＭＰ３の圧縮方式でビットレート６４ｋｂｐｓで圧縮させ（ステップＳ２６）、ＶＡＳを無効に切り換えさせ（ステップＳ２７）、処理を録音処理に戻す。
【００６０】
図８は、会議切換処理の流れの一例を示すフローチャートである。会議切換処理は、図６のステップＳ０８において実行される処理である。図８を参照して、ＣＰＵ１１は、第１ＥＥＰＲＯＭ３３に記憶されている対応テーブル８１を参照し、コーデック１３を制御して、無指向性マイクロホン１９が出力する音声信号を処理するように切り換えさせ（ステップＳ３１）、マイク感度を高に切り換えさせ（ステップＳ３２）、ＡＬＣを有効に切り換えさせ（ステップＳ３３）、ローカットフィルタを有効に設定させ（ステップＳ３４）、録音ピークリミッタを無効に切り換えさせる（ステップＳ３５）。さらに、エンコーダ／デコーダ１５を制御して、ＭＰ３の圧縮方式でビットレート１２８ｋｂｐｓで圧縮させ（ステップＳ３６）、ＶＡＳを無効に切り換えさせ（ステップＳ３７）、処理を録音処理に戻す。
【００６１】
図９は、講義切換処理の流れの一例を示すフローチャートである。講義切換処理は、図６のステップＳ０９において実行される処理である。図９を参照して、ＣＰＵ１１は、第１ＥＥＰＲＯＭ３３に記憶されている対応テーブル８１を参照し、コーデック１３を制御して、指向性マイクロホン１７が出力する音声信号を処理するように切り換えさせ（ステップＳ４１）、マイク感度を高に切り換えさせ（ステップＳ４２）、ＡＬＣを有効に切り換えさせ（ステップＳ４３）、ローカットフィルタを有効に設定させ（ステップＳ４４）、録音ピークリミッタを無効に切り換えさせる（ステップＳ４５）。さらに、エンコーダ／デコーダ１５を制御して、ＭＰ３の圧縮方式でビットレート１２８ｋｂｐｓで圧縮させ（ステップＳ４６）、ＶＡＳを無効に切り換えさせ（ステップＳ４７）、処理を録音処理に戻す。
【００６２】
図１０は、音楽切換処理の流れの一例を示すフローチャートである。音楽切換処理は、図６のステップＳ１０において実行される処理である。図１０を参照して、ＣＰＵ１１は、第１ＥＥＰＲＯＭ３３に記憶されている対応テーブル８１を参照し、コーデック１３を制御して、指向性マイクロホン１７が出力する音声信号を処理するように切り換えさせ（ステップＳ５１）、マイク感度を高に切り換えさせ（ステップＳ５２）、ＡＬＣを有効に切り換えさせ（ステップＳ５３）、ローカットフィルタを無効に設定させ（ステップＳ５４）、録音ピークリミッタを無効に切り換えさせる（ステップＳ５５）。さらに、エンコーダ／デコーダ１５を制御して、非圧縮でビットレート１５３６ｋｂｐｓで符号化させ（ステップＳ５６）、ＶＡＳを無効に切り換えさせ（ステップＳ５７）、処理を録音処理に戻す。
【００６３】
図１１は、お気に入り切換処理の流れの一例を示すフローチャートである。お気に入り切換処理は、図６のステップＳ１１において実行される処理である。図１１を参照して、ＣＰＵ１１は、第１ＥＥＰＲＯＭ３３に記憶されている対応テーブル８１を参照し、コーデック１３を制御して、無指向性マイクロホン１９が出力する音声信号を処理するように切り換えさせ（ステップＳ６１）、マイク感度を高に切り換えさせ（ステップＳ６２）、ＡＬＣを有効に切り換えさせ（ステップＳ６３）、ローカットフィルタを無効に設定させ（ステップＳ６４）、録音ピークリミッタを無効に切り換えさせる（ステップＳ６５）。さらに、エンコーダ／デコーダ１５を制御して、ＭＰ３の圧縮方式でビットレート１２８ｋｂｐｓで圧縮させ（ステップＳ６６）、ＶＡＳを無効に切り換えさせ（ステップＳ６７）、処理を録音処理に戻す。
【００６４】
以上説明したように本実施の形態における録音装置としてのＩＣレコーダ１は、口述、会議、講義および音楽の４つのシーンそれぞれに指向性マイクロホン１７および無指向性マイクロホン１９のいずれか一方を割り当てた対応テーブルを予め記憶しており、複数のシーンのうちから１つが選択されることに応じて、指向性マイクロホン１７および無指向性マイクロホン１９のうち対応テーブルにより選択されたシーンに割り当てられたものに切り換える。このため、ユーザは、複数のシーンのうちから１つを選択するだけで、適切なマイクロホンを選択することができ、指向性マイクロホンと無視向性マイクロホンを選択する必要がないので操作が容易となる。
【００６５】
また、対応テーブルは、４つのシーンそれぞれにマイク感度を関連付けており、４つのシーンのうちから１つが選択されることに応じて、対応テーブルにより該選択されたシーンに関連付けられたマイク感度に切り換えるので、ユーザは、複数のシーンのうちから１つを選択するだけで、マイクロホンとマイク感度が適切に選択されるので、ユーザは、指向性マイクロホンと無視向性マイクロホンの選択およびマイク感度の設定をする必要がなく、設定が容易となる。
【００６６】
また、対応テーブルは、４つのシーンそれぞれに入力レベルを適切なレベルに変更するオートレベルコントロールを有効にするか否かを関連付けているので、ユーザは、４つのシーンのうちから１つを選択するだけで、オートレベルコントロールを適切に設定することができ、操作が容易となる。
【００６７】
また、対応テーブルは、４つのシーンそれぞれに音声データを符号化するビットレートを関連付けているので、ユーザは、４つのシーンのうちから１つを選択するだけで、符号化のためのビットレートを適切に設定することができ、操作が容易となる。
【００６８】
また、ユーザによる操作によって、対応テーブルが変更されるので、ユーザの好みに応じた設定を容易に選択することができる。
【００６９】
また、ハードキーとしてのシーンキー７Ａが押下されることに応じて、シーン選択画面が表示されるので、ユーザがシーンを選択する操作を容易にすることができる。
【００７０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７１】
【図１】ＩＣレコーダの平面図である。
【図２】ＩＣレコーダのハードウェア構成の概要を示す機能ブロック図である。
【図３】ＣＰＵの機能の概要を第１ＥＥＰＲＯＭに記憶されるデータとともに示す機能ブロック図である。
【図４】シーン選択画面の一例を示す図である。
【図５】対応テーブルの一例を示す図である。
【図６】録音処理の流れの一例を示すフローチャートである。
【図７】口述切換処理の流れの一例を示すフローチャートである。
【図８】会議切換処理の流れの一例を示すフローチャートである。
【図９】講義切換処理の流れの一例を示すフローチャートである。
【図１０】音楽切換処理の流れの一例を示すフローチャートである。
【図１１】お気に入り切換処理の流れの一例を示すフローチャートである。
【符号の説明】
【００７２】
１  ＩＣレコーダ、３  本体部、５  集音部、７  操作部、７Ａ  シーンキー、１１  ＣＰＵ１１、１３  コーデック、１５  エンコーダ／デコーダ、１７  指向性マイクロホン、１９  無指向性マイクロホン、２１  ＲＡＭ、２３  スピーカ、２５  ヘッドホン端子、２７  外部メモリコントローラ、２７Ａ  メモリカード、２９  第２ＥＥＰＲＯＭ、３１  シリアルインターフェース、３３  第１ＥＥＰＲＯＭ、３５  バス、５１  シーン選択部、５２  表示制御部、５３  操作受付部、５５  変更部、５７  マイクロホン切換制御部５９  感度切換制御部６１  ＡＬＣ切換制御部６３  録音モード切換制御部６５  ローカットフィルタ切換制御部６５  ローカットフィルタ切換制御部６７  録音ピーク切換制御部６９  ＶＡＳ切換部、８１  対応テーブル。
【図１】
2010109614.tif 000003
【図２】
2010109614.tif 000004
【図３】
2010109614.tif 000005
【図４】
2010109614.tif 000006
【図５】
2010109614.tif 000007
【図６】
2010109614.tif 000008
【図７】
2010109614.tif 000009
【図８】
2010109614.tif 000010
【図９】
2010109614.tif 000011
【図１０】
2010109614.tif 000012
【図１１】
2010109614.tif 000013